(57)【特許請求の範囲】
【請求項１】
所定の表示手段の表示制御を行うコンピュータを、
入床中の被検者から取得した生体信号に基づくアニメーションであって、前記被検者の生体状態を時間的な推移を識別可能な動作とともに表す第一のアニメーションを表示させるアニメーション表示制御手段、
前記生体信号に基づく被検者の睡眠状態を睡眠時間及び深い眠りであった時間に対する評価項目を含み、評価内容のそれぞれ異なる複数の評価項目ごとに評価するとともに、睡眠の良否を示すランク分けを前記評価項目ごとに行う項目別評価手段、
所定のランクを有する前記評価項目を少なくとも一つ選択するとともに、当該評価項目と当該ランクに応じた文字列情報を表示させる文字列情報表示制御手段、として機能させる
ことを特徴とする睡眠情報表示制御プログラム。
【請求項２】
前記コンピュータを、
前記被検者の睡眠に関する感想を所定の入力手段を介して受け付ける睡眠感想受付手段、として機能させ、
前記項目別評価手段は、前記感想に基づいて評価し、
前記アニメーション表示制御手段は、前記感想に基づいて前記第一のアニメーションを表示させる
ことを特徴とする請求項１記載の睡眠情報表示制御プログラム。
【発明の詳細な説明】
【技術分野】
【０００１】
本発明は、睡眠情報表示制御プログラム、睡眠情報表示装置及び睡眠情報表示方法に関する。
【背景技術】
【０００２】
一般に、健康管理などを目的として、睡眠中の呼吸、心拍、体動などの生体情報を検出し、被検者の睡眠状態を判定することが行われている。
この種の方法として、人体にセンサなどを装着せずに、非侵襲、無拘束な状態で生体情報を取得する方法が用いられている。例えば、被検者の体の下に感圧部（圧力センサ）を配置し、被検者の呼吸や体動によって感圧部の内圧が変化することで、圧力変動を信号に変換し、この生体信号に基づいて被検者の睡眠状態を判定する。また、睡眠状態の判定結果を数値や波形グラフ等によって視認可能に表示することが行われている。
【０００３】
また、数値や波形グラフ等による専門的な表示に限らず、例えば、キャラクタなどの表示態様を変化させることで表現する技術も提案されている（例えば、特許文献１）。特許文献１に記載の技術は、睡眠中に取得した生体情報を用いるものではないが、被検者自身によって入力される食事情報、運動情報、睡眠情報に応じてキャラクタの体形や動作を変化させて、ダイエット効果や健康状態を動画像で表示するようになっている。これにより、被検者はキャラクタの表示態様の変化によって、ダイエット効果や健康状態を簡易に知ることができる。
【先行技術文献】
【特許文献】
【０００４】
【特許文献１】特開平１１−４８２０号公報
【発明の概要】
【発明が解決しようとする課題】
【０００５】
しかしながら、生体情報に基づいた情報表示には改良の余地があった。
【課題を解決するための手段】
【０００６】
上記目的を達成するため、本発明の睡眠情報表示制御プログラムは、所定の表示手段の表示制御を行うコンピュータを、入床中の被検者から取得した生体信号に基づくアニメーションであって、前記被検者の生体状態を時間的な推移を識別可能な動作とともに表す第一のアニメーションを表示させるアニメーション表示制御手段、前記生体信号に基づく被検者の睡眠状態を睡眠時間及び深い眠りであった時間に対する評価項目を含み、評価内容のそれぞれ異なる複数の評価項目ごとに評価するとともに、睡眠の良否を示すランク分けを前記評価項目ごとに行う項目別評価手段、所定のランクを有する前記評価項目を少なくとも一つ選択するとともに、当該評価項目と当該ランクに応じた文字列情報を表示させる文字列情報表示制御手段として機能させる構成としてある。
【図面の簡単な説明】
【０００７】
【図１】睡眠情報表示システムの構成を示す概略図である。
【図２】端末装置の構成を示すブロック図である。
【図３】（ａ）は、睡眠状態推移情報の構成を示す図であり、（ｂ）は数的情報の構成を示す図であり、（ｃ）は、評価ランク情報の構成を示す図である。
【図４】スター表示に関わる評価の評価条件と付与される評価ランクの一例を示す図である。
【図５】アドバイスの表示に関わる評価の評価条件と付与される評価ランクの一例を示す図である。
【図６】文字列情報（アドバイス）の一例を示す図である。
【図７】一言コメントの表示に関わる評価の評価条件と付与される評価ランクの一例を示す図である。
【図８】文字列情報（一言コメント）の一例を示す図である。
【図９】総合評価における顔表情の表示パターンを示す図である。
【図１０】ホーム画面の一例を示す図である。
【図１１】ログイン画面の一例を示す図である。
【図１２】会員登録画面の一例を示す図である。
【図１３】プロフィール設定画面の一例を示す図である。
【図１４】入床前行動受付画面の一例を示す図である。
【図１５】熟眠感受付画面の一例を示す図である。
【図１６】記録表示画面の一例を示す図である。
【図１７】一言コメント解説画面の一例を示す図である。
【図１８】今日の運勢画面の一例を示す図である。
【図１９】入床前の行動に関するアニメーション表示部とグラフ表示部における表示態様を示す図である。
【図２０】入床状態におけるアニメーション表示部とグラフ表示部における表示態様を示す図である。
【図２１】覚醒状態におけるアニメーション表示部とグラフ表示部における表示態様を示す図である。
【図２２】入眠状態におけるアニメーション表示部とグラフ表示部における表示態様を示す図である。
【図２３】ノンレム睡眠状態におけるアニメーション表示部とグラフ表示部における表示態様を示す図である。
【図２４】レム睡眠状態におけるアニメーション表示部とグラフ表示部における表示態様を示す図である。
【図２５】中途覚醒状態におけるアニメーション表示部とグラフ表示部における表示態様を示す図である。
【図２６】起床状態におけるアニメーション表示部とグラフ表示部における表示態様を示す図である。
【図２７】離床状態におけるアニメーション表示部とグラフ表示部における表示態様を示す図である。
【図２８】「入床前行動アニメーション」の一例を示しており、（ａ）は、入床前の行動に対応するアニメーションを示す図であり、（ｂ）は、「パジャマに着替える」アニメーションを示す図であり、（ｃ）は、「ベッドに向かう」アニメーションを示す図である。
【図２９】睡眠情報表示処理を示すフローチャートである。
【図３０】項目別評価処理を示すフローチャートである。
【発明を実施するための形態】
【０００８】
以下、本発明に係る睡眠情報表示装置と、この睡眠情報表示装置を備える睡眠情報表示システム、睡眠情報表示方法及び睡眠情報表示制御プログラムの好ましい実施形態について図面を参照して説明する。
【０００９】
［睡眠情報表示システム］
本実施形態の睡眠情報表示システムの構成について、図１を参照して説明する。
図１に示すように、睡眠情報表示システム１は、横たわった状態にある被検者とベッドなどの寝具との間に配置されるとともに被検者からの外的な作用を受けて内圧が変動する被作用体２と、被作用体２の圧力の変動を検知するとともに検知した圧力に応じた値を示す生体信号を生成して出力する圧力検知部３と、圧力検知部３から出力される生体信号を入力する端末装置４と、端末装置４と所定の電気通信回線を介して通信可能に接続されるサーバ装置５によって構成されている。
【００１０】
被作用体２は、例えば、二枚の帯状の樹脂フィルムの周縁を熱融着、接着等により接合し、袋状に形成したものであり、内部に充填された流体、例えば、空気を漏出不能な気密性を備えている。
フィルムは、例えば、塩化ビニル、ゴム等からなり、自らの形状を保持可能な弾性と、被検者からの外的な作用に対する内圧変動に耐え得る強度（耐圧性）を備えている。
また、被作用体２は、正面視においては被検者からの外的作用を受けやすいよう、被検者との接触面積を広くするために、帯状（例えば、長さ約８５０ｍｍ×幅約４０ｍｍ）に形成されるものの、側面視においては被検者に異物感（違和感）を与えないように扁平（例えば、最大厚約１０ｍｍ）に形成されている。
また、被作用体２のうち圧力検知部３が接続される部分には、被作用体２内の流体を圧力検知部３に流通させるための、図示しない中空状のチューブが設けられている。
【００１１】
被作用体２は、被検者からの外的な作用を受けることで、内圧が変化する。
具体的には、被作用体２上に横たわっている被検者から発せられる、例えば、心拍、呼吸、寝返り、いびきなどに起因する被検者の体動により、被検者から外的な作用を受ける。
これに伴い、被作用体２の内部では、流体が外圧を受けて圧縮し、チューブを通して圧力検知部３に流入するようになっている。
【００１２】
圧力検知部３は、被作用体２から流入してきた流体の圧力を検知し、この圧力に応じた値を示す信号を生体信号として端末装置４に出力する。
この圧力検知部３には、圧力センサが設けられている。圧力センサは、流体に直接接触する位置に配置されており、この流体の圧力に応じた値を示す電流又は電圧を生体信号として出力する。
この圧力検知部３と端末装置４は、電気的に接続されており、生体信号を送受信可能となっている。
【００１３】
［睡眠情報表示装置］
次に、本発明における睡眠情報表示装置として動作する端末装置について、図２を参照して説明する。
端末装置４は、ユーザが所持可能又は持ち運び可能に小型化された携帯型の端末機器である。
端末装置４は、プログラム制御により動作するコンピュータであって、例えば、インターネットやＬＡＮなどの電気通信回線に、有線又は無線で接続可能となっており、その電気通信回線に接続されたサーバ装置５などの他の情報処理装置にアクセスして、所定の情報を取得したり、所定のプログラムをダウンロードするなどの機能を備えている。
このような機能を備えた端末装置４の具体例として、例えば、ｉＰａｄ（登録商標）などのタブレットコンピュータ、スマートフォン、携帯電話機、ＰＨＳ等を挙げることができる。
【００１４】
端末装置４は、図２に示すように、圧力検知部３から送られてきた生体信号を受信して制御手段４７へ送る信号伝送部４１と、サーバ装置５と無線通信回線（Ｗｉ−Ｆｉ又は３Ｇ回線）及びインターネットを介して通信処理を行う通信手段４２と、端末装置４の有する機能を実行するためのプログラムやデータを記憶する記憶手段４３と、液晶ディスプレイなどで構成され、所定の画面を表示するとともにタッチパネルとしての機能を有する表示手段４４と、スピーカなどで構成され、所定の音声を外部へ出力する音声出力手段４５と、時間を計測する計時手段４６と、ＣＰＵ，ＲＯＭ，ＲＡＭ等を備えコンピュータとして動作する制御手段４７と、を備えている。
【００１５】
記憶手段４３は、ＲＯＭやＲＡＭなど所定の記憶容量を有するデータの保存が可能な記憶部品、あるいは、この記憶部品を複数搭載したメモリディスク等の記憶媒体であって、端末装置４が備える各種機能を実行するためのプログラムやデータを記憶する。
記憶手段４３に記憶されるデータとしては、入床中の被検者から時間的な推移に応じて取得した生体信号に基づく測定データがある。
本実施形態において、入床中とは、被検者が眠りに入る前の状態と眠りに入った後の状態の双方を含む「ベッドなどの寝具にいる状態」を示している。
その他に記憶されるデータとしては、例えば、睡眠状態推移情報、数的情報、評価ランク情報、動作情報、文字列情報、入床前情報等がある。
【００１６】
睡眠状態推移情報は、図３（ａ）に示すように、被検者の睡眠状態と、各睡眠状態に移行したときの時刻とを示す情報である。
本実施形態において、睡眠状態とは、例えば、睡眠するための姿勢をとった状態である「入床状態」、入床状態の後、眠りに入っていない状態である「覚醒状態」、眠りに入った状態である「入眠状態」、浅い眠りの状態である「レム睡眠状態」、深い眠りの状態である「ノンレム睡眠状態」、睡眠を終えた状態である「起床状態」、入眠状態から起床状態までの間に眠りから覚めた（覚醒した）状態である「中途覚醒状態」等の状態をいう。
【００１７】
数的情報は、図３（ｂ）に示すように、複数の評価項目と、各評価項目に対応する数的な値とを示す情報である。
評価項目とは、被検者の睡眠を評価するための項目である。
本実施形態において、評価項目は、例えば、入床状態に移行した時刻を示す「入床時刻」、入眠状態に移行した時刻を示す「入眠時刻」、入床時刻から入眠状態に移行するまでの時間を示す「寝つき時間」、入眠時刻から起床状態に移行した起床時刻までの時間を示す「睡眠時間」、ノンレム睡眠状態の時間を示す「ぐっすり時間」、中途覚醒状態があった回数を示す「中途覚醒回数」等の項目をいう。
数的な値とは、被検者の睡眠の評価に使用する数値である。
【００１８】
評価ランク情報は、図３（ｃ）に示すように、評価項目ごとにランク分けを行って評価した結果を示す情報であって、評価項目とその評価項目に対応する評価ランクからなる。
評価ランクは、評価項目ごとに、被検者の睡眠の良否をランクに分けて示したものである。
評価ランクには、例えば、被検者の睡眠の良否を所定数のランクに分け、各ランクを「星印の数」で表すもの、被検者の睡眠の良否を三つのランクに分け、各ランクを「良い・普通・悪い」で表すもの、評価項目に対応する数的な値が一定値に達していない場合にランクとして「入眠困難・熟眠不良・起床困難」で表すものがある。
この評価ランクは、評価項目ごとに記憶手段４３に記憶されている。
【００１９】
動作情報は、入床中の寝相動作（例えば、横たわる、寝返り、いびき、起き上がる）や生活上の行動（例えば、食事、飲酒、入浴）に対応する動作パターンからなる情報である。
具体的には、各動作パターンに対応した静止画像や動画像が記憶されており、この静止画像や動画像が複数組み合わされることでアニメーションとして生成することができる。
【００２０】
文字列情報は、睡眠の評価結果に応じた文字列を含んだ情報であって、例えば、睡眠に関するアドバイス（以下、アドバイスともいう）や睡眠に関する一言コメント（以下、一言コメントともいう）が記憶されている。
睡眠に関するアドバイスは、例えば、睡眠の改善のための文字列からなり、評価項目と評価ランクに応じて複数のアドバイスが記憶されている（図６参照）。
睡眠に関する一言コメントは、例えば、被検者の興味を引き付けるための面白みのある文字列からなり、評価ランクに対応する複数の一言コメントが記憶されている（図８参照）。
入床前情報は、被検者の入床前の行動に関する情報であって、後述する入床前行動受付画面（図１４参照）において被検者から入力を受け付けることで記憶される。
【００２１】
また、記憶手段４３には「日替り時刻」が記憶されている。
「日替り時刻」は、日付が更新される時刻であり、この「日替り時刻」から２４時間を１日の単位として扱うようになっている。
例えば、「日替り時刻」は、既定値として昼の１２時が設定されており、所定の画面から任意に変更することができるようになっている。
これにより、例えば、被検者が正午１２時を超えて睡眠を行うような場合に、「日替り時刻」を正午１２時以降に変更しておくことで、この変更した時刻までが測定当日分のデータとして測定可能となるため、被検者は適切な日付で測定データを取得することができる。
【００２２】
また、端末装置４に記憶されているプログラムとしては、端末装置４上で実行可能な機能に対応したアプリケーションプログラム（以下、アプリという）がある。このアプリは、端末装置４の販売時点で既に記憶手段４３に記憶されたもの、すなわち、端末装置４に標準装備されたものであってもよく、あるいは、端末装置４を購入後、通信手段４２を介してウェブサイトからダウンロードしたものであってもよい。
このようなアプリの一つとして、本実施形態の睡眠情報表示制御プログラムとして動作する睡眠アプリが記憶されている。
【００２３】
表示手段４４は、静止画像、動画像、文字列、テンキー等を被検者に視認可能に表示する。
本実施形態における表示手段４４は、睡眠アプリの実行画面を表示する。
表示手段４４は、例えば、被検者の睡眠の測定結果を示す記録表示画面（図１６参照）を表示し、アニメーションを表示するアニメーション表示部４４Ａ、グラフなどを表示するグラフ表示部４４Ｂ、睡眠に関するアドバイスを表示するアドバイス表示部４４Ｃ、睡眠に関する一言コメントを表示する一言コメント表示部４４Ｄ、睡眠の評価結果を示す星印を表示するスター評価表示部４４Ｅ、睡眠の総合的な評価結果を示す顔表情を表示する総合評価表示部４４Ｆとして機能する。
なお、表示手段４４が表示する睡眠アプリの各画面の構成や表示内容については、後述の「睡眠アプリの実行画面」で説明する。
また、表示手段４４は、タッチ操作可能なタッチパネルで構成され、指やタッチペンで画面上の表示に触れることにより入力（例えば、通信操作、文字入力操作、選択操作等）を受け付ける受付手段としても動作する。
【００２４】
制御手段４７は、睡眠アプリが動作することにより、図２に示すように、圧力検知部３から送られてくる生体信号を時間的な推移に応じて取得する生体信号取得手段５１と、取得した生体信号に基づいて被検者の睡眠状態を判定する睡眠状態判定手段５２と、被検者の睡眠状態に基づいて評価項目ごとに数的な値を算出する数的情報算出手段５３と、被検者の生体状態を評価項目ごとに評価するとともに、睡眠の良否を示すランク分けを行う項目別評価手段５４と、アニメーションを生成するアニメーション生成手段５５と、表示手段４４への表示を制御する表示制御手段５６と、音声出力手段４５における音や曲の出力を制御する音声出力制御手段５７として機能する。
【００２５】
生体信号取得手段５１は、圧力検知部３から送られてくる生体信号を入力すると、この生体信号をデジタルデータに変換し、測定データとして記憶手段４３に記憶させる。
睡眠状態判定手段５２は、記憶手段４３から取り出した生体信号（測定データ）に基づいて被検者の睡眠状態を判定する。
例えば、生体信号の振幅や周期に応じて、横たわっている被検者の状態が各睡眠状態のいずれであるかを判定する。
また、睡眠状態判定手段５２は、被検者の睡眠状態が他の睡眠状態に移行すると（例えば、入床状態から入眠状態に移行）、この移行した時刻を計時手段４６から取得し、取得した時刻と移行後の睡眠状態とを関連付けて、記憶手段４３の睡眠状態推移情報に記憶させる。
【００２６】
なお、睡眠状態の判定方法は、公知の判定方法を用いることができる。
例えば、入眠状態か否かの判定は、生体信号の振幅や周期が一定時間継続して所定の閾値を超えなくなった場合に被検者が眠りについたと判断し、入眠状態と判定することができる。
また、本実施形態においては、入床状態か否かの判定は、例えば、入床前行動受付画面（図１４参照）の「記録開始」キー６５ｄ又は「スキップ」キー６５ｃが操作されたときに入床状態に移行したと判定することができる。また、離床状態か否かの判定は、例えば、後述する熟眠感受付画面（図１５参照）の「はい」キー６６ｂ又は「いいえ」キー６６ｃが操作されたときに離床状態に移行したと判定することができる。
【００２７】
数的情報算出手段５３は、上記の各評価項目に対応する数的な値を算出する。
数的情報の算出方法は、公知の算出方法を用いることができる。
例えば、各評価項目に対応する数的な値は、以下に示す方法で算出することができる。
「寝つき時間」は、入床時刻から入眠時刻までの時間として算出する。
「睡眠時間」は、入眠時刻から起床時刻までの時間として算出する。
「ぐっすり時間」は、ノンレム睡眠状態の継続時間として算出する。
「中途覚醒回数」は、中途覚醒状態に移行した合計回数として算出する。
【００２８】
項目別評価手段５４は、次に示すような各評価を行う。
（１）スター表示に関わる評価
項目別評価手段５４は、図４（ａ）に示すように、各評価項目（「入眠時刻」、「寝つき時間」、「睡眠時間」、「ぐっすり時間」）について、数的情報に記憶された各評価項目に対応する数的な値と各基準値とを比較し、ランクに分けて評価する。
また、項目別評価手段５４は、評価の結果、評価項目ごとに被検者の睡眠の良否を示す「星印の数」（評価ランク）を付与する。
例えば、被検者の「寝つき時間」が１５分以内の場合は５つの星印を付与し、１６分以上３０分未満の場合は３つの星印を付与し、３０分以上の場合は１つの星印を付与する。
また、図４（ｂ）に示すように、評価項目の「睡眠時間」における基準値は、被検者の年齢に応じて変わるようになっている。例えば、星印の数を５つ付与するか否かの判定においては、年齢が１４歳以下の場合には８時間±１５分以内が基準値となり、年齢が１５歳〜２５歳の場合には７時間±１５分以内が基準値となる。
なお、これに限らず、固定の時間（例えば、６．５時間）を基準値としてもよい。
【００２９】
（２）アドバイスの表示に関わる評価
項目別評価手段５４は、図５に示すように、各評価項目（「寝つき時間」、「入床時刻」、「睡眠時間」、「ぐっすり時間」、「中途覚醒回数」、「熟眠感」）について、数的情報に記憶された各評価項目に対応する数的な値と各基準値とを比較し、ランクに分けて評価する。
また、項目別評価手段５４は、評価の結果、評価項目ごとに被検者の睡眠の良否を示す「良い・普通・悪い」（評価ランク）のいずれかを付与する。
例えば、被検者の「寝つき時間」が１５分以内の場合は、「良い」を付与し、１６分以上３０分未満の場合は「普通」を付与し、３０分以上の場合は「悪い」を付与する。
【００３０】
また、評価項目のうち「熟眠感」は、昨晩の睡眠の良否を被検者が主観的に評価するものであり、具体的には、熟眠感受付画面（図１５参照）において被検者から入力を受け付けるようになっている。
本実施形態においては、「熟眠感」に基づいて睡眠の評価を行う。
例えば、項目別評価手段５４は、被検者からよく眠れた感想を受け付けた場合は「良い」の評価ランクを付与し、一方、よく眠れなかった感想を受け付けた場合は「悪い」の評価ランクを付与する。
そして、図６に示すように、例えば、評価項目の「寝つき時間」、「ぐっすり時間」、「睡眠時間」の全ての評価ランクが「良い」であっても、「熟眠感」の評価ランクが「悪い」の場合には、「熟眠感」の改善に関する複数のアドバイス（本実施形態では四つ）から一つが選択されて表示されるようになっている。
このように、被検者の主観的な評価である「熟眠感」も睡眠の評価に反映させることで、被検者に対して睡眠の評価の信用度を高めることができる。
【００３１】
（３）一言コメントの表示に関わる評価
項目別評価手段５４は、スター表示に関わる評価により付与された評価ランク（「星印の数」）とアドバイスの表示に関わる評価により付与された評価ランク（「良い・普通・悪い」）に基づいて評価する。
また、項目別評価手段５４は、評価の結果、被検者の睡眠の良否を示す「入眠困難・熟眠不良・起床困難」（評価ランク）のいずれかを付与する。
例えば、図７に示すように、評価項目のうち「寝つき時間」の評価ランクが「普通又は悪い」の場合、又は、「星印の数が３つ以下」の場合は「入眠困難」を付与する。
なお、これらの（１）〜（３）の評価で用いる評価項目と基準値は、予め記憶手段４３に記憶されており、各処理で使用する評価項目は任意に変更可能であり、基準値の値も任意に変更することができる。
【００３２】
アニメーション生成手段５５は、入床中の被検者の生体状態を表す「入床中アニメーション」（第一のアニメーション）や被検者の入床前の生活上の行動に対応する「入床前行動アニメーション」（第二のアニメーション）を生成する。
本実施形態における生体状態とは、上記の睡眠状態を全て含むものである。
【００３３】
「入床中アニメーション」は、睡眠状態推移情報に記憶された各睡眠状態のそれぞれに対応する動作パターンを組み合わせたものであり、例えば、睡眠状態が他の睡眠状態に移行するのに伴って動作パターンが移行するように生成されたものである。つまり、被検者の睡眠状態が入床中の時間的な推移に応じて動作パターンが変化していくように入床中アニメーションが生成される。なお、「入床中アニメーション」は、入床中の時間よりも所定の倍率で短縮した速度で再生されるようになっている。
「入床前行動アニメーション」は、入床前情報に記憶された被検者の入床前の行動と対応する動作パターンが複数組み合わされて生成されたものである。
【００３４】
表示制御手段５６は、表示手段４４に、睡眠アプリの実行結果を表示させる。
例えば、表示制御手段５６は、表示手段４４に、記録表示画面（図１６参照）を表示させ、この記録表示画面において、アニメーション表示部４４Ａにアニメーションを表示させ、グラフ表示部４４Ｂにグラフを表示させ、アドバイス表示部４４Ｃに睡眠に関するアドバイスを表示させ、一言コメント表示部４４Ｄに睡眠に関する一言コメントを表示させ、スター評価表示部４４Ｅに睡眠の評価結果を示す星印を表示させ、総合評価表示部４４Ｆに睡眠の総合的な評価結果を示す顔表情を表示させる。
【００３５】
サーバ装置５は、プログラム制御により動作する情報処理装置であり、インターネットを介して端末装置４と接続し、各種データを送受信する。
端末装置４から送信されるデータとしては、睡眠アプリの会員登録に関する情報（会員情報テーブル）や睡眠状態推移情報、数的情報、評価ランク情報、入床前情報等がある。
【００３６】
会員情報テーブルは、後述する会員登録画面（図１２参照）において入力された情報と、例えば、会員登録後に会員登録者のプロフィールを入力可能な所定の画面から入力された情報からなっている。
具体的には、会員登録画面から受け付けた情報（例えば、メールアドレス，パスワード，ニックネーム）と、会員登録後にプロフィール入力画面から受け付けた情報（例えば、氏名，性別，生年月日，身長，体重，住所，職業）などが記憶されている。
【００３７】
サーバ装置５は、端末装置４から受信し、蓄積した情報に基づいて集計処理を行う。
例えば、入床前情報に記憶された各行動内容と評価ランク情報に記憶された評価項目ごとの評価ランクに基づいて、入床前にした行動が睡眠にどのように影響するかについて算出することができる。
また、例えば、１週間や１年間の長期間情報を用いて、長期的な睡眠の評価をすることもできる。
【００３８】
［端末装置の動作］
次に、本実施形態における端末装置の動作について、各図を参照して説明する。
【００３９】
［睡眠アプリの実行画面］
まず、図１０〜図１８を参照し、表示手段４４に表示される睡眠アプリの実行画面について説明する。
制御手段４７は、端末装置４において睡眠アプリを起動させるための操作が被検者により選択されると、睡眠アプリを起動させ、初めに、表示手段４４に、アラーム設定画面（非図示）を表示させる。
アラーム設定画面は、被検者が起床する時刻を設定するための画面であって、例えば、被検者が起床しようとする時刻である「アラーム時刻」や現在の時刻がアラーム時刻に達したときに音声出力手段４５から出力させる音である「アラームサウンド」を設定することができる。
アラーム設定画面に表示されたソフトウェアキーの中から、設定を終了するための操作が被検者により選択されると、「アラーム時刻」と「アラームサウンド」が記憶手段４３に記憶され、その後、表示手段４４にホーム画面が表示される。
【００４０】
ホーム画面は、図１０に示すように、操作可能なソフトウェアキーとして、例えば、ログインキー６１ａ、「プロフィール入力」キー６１ｂ、「おやすみ前に」キー６１ｃ、「おやすみサウンド」キー６１ｄ、「グラフ」キー６１ｅ、「ガイド」キー６１ｆ、「記録スタート」キー６１ｇなどを表示する。
【００４１】
ログインキー６１ａは、ログイン画面に移行するときに操作されるキーである。また、ログインキー６１ａは、睡眠アプリにログインしていない状態、つまり、ゲストユーザとして睡眠アプリを利用する場合には、図１０に示すように、「アカウントをお持ちの方」と表示され、一方、ログインした後には「ログアウト」と表示がされる。
「プロフィール入力」キー６１ｂは、被検者のプロフィールを設定するプロフィール設定画面に移行するときに操作されるキーである。
「おやすみ前に」キー６１ｃは、睡眠前のストレッチをレクチャーする画面に移行するときに操作されるキーである。
「おやすみサウンド」キー６１ｄは、睡眠を開始しようとするときに音声出力手段４５から出力させる曲である「おやすみサウンド」を設定する画面に移行するときに操作されるキーである。
「グラフ」キー６１ｅは、過去に測定した結果を表示する画面に移行するときに操作されるキーである。
「ガイド」キー６１ｆは、睡眠アプリの各操作方法を参照する画面に移行するときに操作されるキーである。
「記録スタート」キー６１ｇは、睡眠の測定を開始するときに操作するキーである。
【００４２】
ホーム画面に表示されたソフトウェアキーの中からログインキー６１ａが被検者によって選択されると、表示手段４４に、ログイン画面が表示される。
ログイン画面は、睡眠アプリにログインするための入力画面であって、図１１に示すように、アカウント情報入力部６２ａと、操作可能なソフトウェアキーとして、例えば、「ログイン」キー６２ｂ、「会員登録」キー６２ｃ、「ｆａｃｅｂｏｏｋログイン」キー６２ｄ(「ｆａｃｅｂｏｏｋ」は登録商標)、「ゲストで利用」キー６２ｅなどを表示する。
【００４３】
アカウント情報入力部６２ａは、被検者が睡眠アプリにログインするために必要な情報（アカウント情報）を入力するための入力部である。例えば、メールアドレスやパスワードを入力することができる。
「ログイン」キー６２ｂは、アカウント情報入力部６２ａで入力した情報を確定し、睡眠アプリにログインするときに操作されるキーである。ログイン成立後は、ログインした状態でホーム画面に移行する。
「会員登録」キー６２ｃは、会員登録画面に移行するときに操作されるキーである。
「ｆａｃｅｂｏｏｋログイン」キー６２ｄは、ｆａｃｅｂｏｏｋへログインするための画面に移行するときに操作されるキーである。なお、ｆａｃｅｂｏｏｋにログイン成立後は、睡眠アプリでもログイン状態となる。
「ゲストで利用」キー６２ｅは、睡眠アプリにログインせずに、ゲストユーザとして睡眠アプリを利用するときに操作されるキーである。
【００４４】
ログイン画面に表示されたソフトウェアキーの中から「会員登録」キー６２ｃが被検者によって選択されると、表示手段４４に、会員登録画面が表示される。
会員登録画面は、睡眠アプリの会員登録をするための画面であって、図１２に示すように、アカウント登録情報入力部６３ａと、操作可能なソフトウェアキーとして、例えば、「アカウント登録」キー６３ｂ、「ｆａｃｅｂｏｏｋログイン」キー６３ｃ、ホームキー６３ｄなどを表示する。
【００４５】
アカウント登録情報入力部６３ａは、アカウント情報を登録するための入力部である。例えば、メールアドレス、パスワード、ニックネームを入力することができる。
「アカウント登録」キー６３ｂは、アカウント登録情報入力部６３ａで入力した情報を確定し、アカウント情報を登録するときに操作されるキーである。
「ｆａｃｅｂｏｏｋログイン」キー６３ｃは、ｆａｃｅｂｏｏｋへログインするための画面に移行するときに操作されるキーである。
ホームキー６３ｄは、ホーム画面に移行するときに操作されるキーである。
【００４６】
ホーム画面に表示されたソフトウェアキーの中から「プロフィール入力」キー６１ｂが被検者によって選択されると、表示手段４４に、プロフィール設定画面が表示される。
プロフィール設定画面は、睡眠アプリを使用する被検者のプロフィールを設定するための画面であって、図１３に示すように、プロフィール入力部６４ａと、操作可能なソフトウェアキーとして、例えば、「設定」キー６４ｂ、ホームキー６４ｃなどを表示する。
【００４７】
プロフィール入力部６４ａは、例えば、ニックネーム、性別、生年月日を入力することができる。なお、既に、睡眠アプリにログインしている場合には、これらの項目は、サーバ装置５の会員登録テーブルに記憶された情報が自動的に表示されるようになっている。
「設定」キー６４ｂは、プロフィール入力部６４ａで入力した情報を確定し、プロフィールを設定するときに操作されるキーである。
ホームキー６４ｃは、ホーム画面に移行するときに操作されるキーである。
【００４８】
ホーム画面に表示されたソフトウェアキーの中から「記録スタート」キー６１ｇが被検者によって選択されると、表示手段４４に、入床前行動受付画面が表示される。
入床前行動受付画面は、本発明における入床前情報受付手段として動作し、被検者の入床前の行動を受け付けるための画面であって、図１４に示すように、入床前行動入力部６５ａ、プロフィール入力部６５ｂと操作可能なソフトウェアキーとして、例えば、「スキップ」キー６５ｃ、「記録開始」キー６５ｄ、ホームキー６５ｅなどを表示する。
【００４９】
入床前行動入力部６５ａは、被検者が行った行動を入力する入力部である。例えば、「夕食は食べましたか？」、「お風呂に入りましたか？」、「タバコを吸いましたか？」、「コーヒーを飲みましたか？」、「お酒を飲みましたか？」等の質問項目に対して「はい」又は「いいえ」の入力をすることができる。なお、「お酒を飲みましたか？」の質問に対しては、「はい」の代わりに「泥酔」又は「ほろ酔い」の入力をすることができる。
プロフィール入力部６５ｂは、睡眠の測定を行う被検者のプロフィール（例えば、性別や生年月日）を入力するための入力部である。
「スキップ」キー６５ｃは、入床前行動入力部６５ａの入力を省いて睡眠の測定を開始するときに操作されるキーである。「スキップ」キー６５ｃが操作されると、例えば、全ての質問項目に対して「いいえ」が自動的に設定されて、睡眠の測定が開始される。
なお、「スキップ」キー６５ｃが操作されたときの動作は、これに限らず、例えば、被検者によって予め質問項目に対して設定しておいた情報が反映されるようにしてもよい。
また、睡眠アプリにログインしている場合には、前回の測定の際に設定されていた入床前情報が反映されるようにしてもよい。
「記録開始」キー６５ｄは、入床前行動入力部６５ａとプロフィール入力部６５ｂで入力した情報を確定し、睡眠の測定を開始するときに操作されるキーである。
ホームキー６５ｅは、ホーム画面に移行するときに操作されるキーである。
【００５０】
入床前行動受付画面に表示されたソフトウェアキーの中から「記録開始」キー６５ｄが被検者によって選択されると、睡眠の測定が開始される。そして、現在の時刻がアラーム時刻に達すると、表示手段４４に、熟眠感受付画面が表示される。
【００５１】
熟眠感受付画面は、本発明における睡眠感想受付手段として動作し、被検者の睡眠の感想を受け付けるための画面であって、図１５に示すように、昨晩の熟眠感を問う表示を行う熟眠感質問表示部６６ａと、操作可能なソフトウェアキーとして、例えば、「はい」キー６６ｂ、「いいえ」キー６６ｃなどを表示する。
熟眠感受付画面に表示された「はい」キー６６ｂ又は「いいえ」キー６６ｃが被検者によって操作されると、表示手段４４に、記録表示画面が表示される。
【００５２】
記録表示画面は、睡眠の測定結果を表示するための画面であって、図１６に示すように、アニメーションを表示するアニメーション表示部４４Ａ、グラフを表示するグラフ表示部４４Ｂ、睡眠に関するアドバイスを表示するアドバイス表示部４４Ｃ、睡眠に関する一言コメントを表示する一言コメント表示部４４Ｄ、睡眠の評価結果を示す星印を表示するスター評価表示部４４Ｅ、睡眠の総合的な評価結果を示す顔表情を表示する総合評価表示部４４Ｆと、操作可能なソフトウェアキーとして、例えば、「続きを読む」キー６７ａ、「会員登録」キー６７ｂ、「ＱＲコード取得」キー６７ｃ(「ＱＲコード」は登録商標)、「今日の運勢」キー６７ｄ、ホームキー６７ｅなどを表示する。
【００５３】
「続きを読む」キー６７ａは、一言コメント解説表示画面に移行するときに操作されるキーである。
「会員登録」キー６７ｂは、会員登録画面に移行するときに操作されるキーである。
「ＱＲコード取得」キー６７ｃは、ＱＲコードを取得するための画面に移行するときに操作されるキーである。この画面では、睡眠の測定結果に関する情報を含んだＱＲコードが表示され、被検者が他の端末装置などでＱＲコードを読み取ることで、読み取った端末装置でも睡眠の測定結果を表示することができる。
「今日の運勢」キー６７ｄは、今日の運勢画面に移行するときに操作されるキーである。
ホームキー６７ｅは、ホーム画面に移行するときに操作されるキーである。
【００５４】
記録表示画面は、以下のような情報を表示する。
（１）アニメーションの表示
アニメーション表示部４４Ａは、アニメーション生成手段５５によって生成された「入床中アニメーション」と「入床前行動アニメーション」を表示する。
なお、「入床中アニメーション」と「入床前行動アニメーション」の詳細は、後述の「アニメーション表示部とグラフ表示部の表示態様」で説明する。
【００５５】
（２）波形グラフとスライドバーの表示
グラフ表示部４４Ｂは、入床中の時刻を含む時間軸Ｚを横軸とし、被検者の睡眠状態を縦軸として表示し、睡眠状態の時間的な推移を示す波形グラフを表示する。具体的には、睡眠状態推移情報に記憶された被検者の睡眠状態とその睡眠状態に移行した時刻に基づいて生成された波形グラフを表示する。
また、グラフ表示部４４Ｂは、入床中の時間的な推移を識別可能に動作するスライドバーＢを表示する。
スライドバーＢは、細長い棒状の表示要素であって、グラフ表示部４４Ｂに示された時間軸Ｚに対して垂直な方向である縦軸方向が長手方向となるようにグラフ表示部４４Ｂに表示される。
このスライドバーＢは、グラフ表示部４４Ｂの時間軸Ｚと交差しており、この時間軸Ｚの示す横方向に対して移動可能となっている。
また、スライドバーＢは、その横方向への移動により、波形グラフが表示されるグラフ表示領域内を移動する。つまり、波形グラフとスライドバーＢが重なり合うように表示される。
これによって、この重なり合う点から、スライドバーＢが時間軸Ｚと交差する入床中の時刻における被検者の睡眠状態を把握することができる。
【００５６】
スライドバーＢは、例えば、時間軸Ｚにおいて入床時刻に対応する位置を初期位置として表示される。
そして、スライドバーＢは、所定のタイミング（例えば、アニメーション表示部４４Ａで「入床前行動アニメーション」が終了したとき）で時間軸Ｚが示す時刻の経過方向に向かって移動を開始する。スライドバーＢが移動を開始すると、アニメーション表示部４４Ａでは「入床中アニメーション」の表示を開始する。
スライドバーＢの移動に伴って、このスライドバーＢが時間軸Ｚと交差する時刻が変移し、被検者の睡眠状態が他の睡眠状態に移行すると、アニメーション表示部４４Ａにおいては、移行後の睡眠状態に対応した動作パターンが表示される。
例えば、スライドバーＢが初期位置から移動を開始するとき、アニメーション表示部４４Ａには、入床状態に対応したアニメーションが表示される（図２０参照）。次いで、スライドバーＢの移動に伴って、時間軸Ｚと交差する時刻が変移し、被検者の睡眠状態が入眠状態に移行すると、アニメーション表示部４４Ａには、入眠状態に対応したアニメーションが表示される（図２２参照）。
このように、スライドバーＢの移動とともに「入床中アニメーション」が連動して表示されるため、被検者は時間の経過とともにどのような睡眠状態を辿ったかを直感的に把握できる。また、アニメーションで表示されるため、容易にその内容を把握することができる。
【００５７】
なお、入床中の時間的な推移を識別可能に動作するものであれば、スライドバーＢに限らず、例えば、表示されている波形グラフ上を時間的な推移に応じて所定のマーカーが沿うように移動するような表示態様としてもよく、あるいは、波形グラフ自体が時間的な推移に応じて時間軸Ｚの示す横方向に順次表示されるような表示態様でもよい。また、例えば、入床中の時間的な推移に応じて動作する時計のアニメーションを表示してもよい。
また、本実施形態のグラフ表示部４４Ｂにおいては、グラフ表示領域上の任意の箇所を触れることで、その触れた位置からスライドバーＢの移動と「入床中アニメーション」の表示を開始することができるようになっている。
【００５８】
（３）アドバイスの表示
アドバイス表示部４４Ｃは、評価ランク（アドバイスの表示に関わる評価）に対応する睡眠に関するアドバイスを表示する。
具体的には、評価ランク情報に記憶されている評価ランク（アドバイスの表示に関わる評価）とその評価項目に基づいて、図６に示す文字列情報から二つの評価項目におけるアドバイスが任意に選択される。そして、その選択された二つのアドバイスを組み合わせた文字列がアドバイス表示部４４Ｃに表示されるようになっている（文字列情報表示制御手段）。
なお、図６においては、評価項目ごとの各評価ランクにおいて一つのアドバイスを表示しているが、文字列情報には評価項目ごとの各評価ランクに複数のアドバイスが記憶されている。そして、複数のアドバイスの中から一つのアドバイスが任意に選択されてアドバイス表示部４４Ｃに表示されるようになっている。
このように、複数のアドバイスの中から任意の一つのアドバイスが選択されて表示されるので、表示されるアドバイスが単調とならないため、どのようなアドバイスが表示されるかといった興味を被検者に持たせることができる。
【００５９】
例えば、選択された二つの評価項目が「寝つき時間」と「ぐっすり時間」である場合、評価ランクとして「寝つき時間」には「悪い」、「ぐっすり時間」には「良い」が記憶されているときには、「寝つくのに３０分以上かかっているようですね。入浴後にストレッチをして、筋肉のコリをほぐしましょう。血行がよくなると眠りやすくなりますよ。」のアドバイスと「ぐっすり眠れているようですが、さらに熟睡を得るためには、枕を見直すのも良いかもしれません。旅先等で枕が合わない場合は、大判のバスタオルを折って枕代わりにするのもオススメです。」のアドバイスが選択される。
その結果、例えば、「寝つくのに３０分以上かかっているようですね。入浴後にストレッチをして、筋肉のコリをほぐしましょう。ぐっすり眠れているようですが、さらに熟睡を得るためには、枕を見直すのも良いかもしれません。」のような二つのアドバイスを組み合わされたものがアドバイス表示部４４Ｃ表示されることになる。
このように睡眠に関するアドバイスを表示することによって、被検者は波形グラフの表示から自身の睡眠状態を把握できるだけでなく、専門家が行うようなアドバイスを受けることができる。
【００６０】
（４）一言コメントの表示
一言コメント表示部４４Ｄは、評価ランク（一言コメントの表示に関わる評価）に対応する睡眠に関する一言コメントを表示する。
具体的には、評価ランク情報に記憶されている評価ランク（一言コメントの表示に関わる評価）に基づいて、図８に示す文字列情報から一つの一言コメントが任意に選択され、その選択された一言コメントが一言コメント表示部４４Ｄに表示されるようになっている（文字列情報表示制御手段）。
なお、図８においては、各評価ランクに一つの一言コメントを表示しているが、文字列情報には各評価ランクに複数の一言コメントが記憶されている。そして、複数の一言コメントの中から一つの一言コメントが任意に選択されて一言コメント表示部４４Ｄに表示されるようになっている。
例えば、評価ランクとして「入眠困難」が記憶されている場合には、図８に示す「入眠困難」の文字列群から一の一言コメントが任意に選択され（例えば「フトンの中で本は読まないで！」）、この選択された一言コメントが一言コメント表示部４４Ｄに表示される。
このように、複数ある一言コメントの中から任意の一つが選択されて表示されるので、表示される一言コメントが単調とならない。これにより、被検者にどのような一言コメントが表示されるかといった興味を持たせることができる。
【００６１】
（５）スター評価の表示
スター評価表示部４４Ｅは、評価ランク情報に記憶されている評価ランク（スター表示に関わる評価）に基づいて、評価項目ごとに星印の数を表示する。
これによって、被検者は評価項目ごとの睡眠の良否を星印の数により容易に認識することができる。
（６）睡眠総合評価の表示
総合評価表示部４４Ｆは、スター評価表示部４４Ｅに表示される星印の数の合計数に応じた「顔表情」を表示する。
「顔表情」は、図９に示すように、星印の合計数に応じて表示パターンが異なり、例えば、星印の合計数が１８〜２０個の場合は、「とても良い」の総合評価を示す顔表情を表示する。
このように、評価の結果を人の顔面をシンボルとした「顔表情」を変化させて表示することによって、被検者は睡眠の良否を直感的に把握することができる。
【００６２】
これらアニメーション表示部４４Ａ、グラフ表示部４４Ｂ、アドバイス表示部４４Ｃ、一言コメント表示部４４Ｄ、スター評価表示部４４Ｅ、総合評価表示部４４Ｆが表示されている記録表示画面には、さらに、「続きを読む」キー６７ａ、「占う」キー６９ｂ等が表示されている。
記録表示画面に表示されたソフトウェアキーの中から「続きを読む」キー６７ａが被検者によって選択されると、表示手段４４に、一言コメント解説表示画面が表示される。
一言コメント解説表示画面は、図１７に示すように、一言コメント表示部４４Ｄに表示されている一言コメントについて解説を表示する画面である。
一言コメント解説表示画面に表示される解説の内容は、例えば、サーバ装置５などの外部の装置に記憶されており、通信手段４２を介して外部の装置から受信することで表示されるようになっている。
【００６３】
記録表示画面に表示されたソフトウェアキーの中から「今日の運勢」キー６７ｄが被検者によって選択されると、表示手段４４に、今日の運勢画面が表示される。
今日の運勢画面は、図１８に示すように、被検者の生年月日を入力するための生年月日入力部６９ａと、操作可能なソフトウェアキーとして、例えば、「占う」キー６９ｂ、ホームキー６９ｃなどを表示する。
「占う」キー６９ｂは、生年月日入力部６９ａで入力した生年月日を確定し、占いを実行するときに操作されるキーである。
ホームキー６９ｃは、ホーム画面に移行するときに操作されるキーである。
「占う」キー６９ｂが被検者によって選択されると、今日の運勢の占い結果が表示される。
なお、占いの結果は、生年月日入力部６９ａで入力された生年月日だけに基づいて表示されるものに限らず、睡眠の評価結果や被検者から受け付けた情報（入床前の行動、熟眠感）に基づいた結果を表示するものでもよい。例えば、熟眠感受付画面（図１５参照）において被検者から「はい」キー６６ｂが選択された場合には、被検者にとって良い占い結果が表示されるようにしてもよい。
【００６４】
また、記録表示画面に、ｆａｃｅｂｏｏｋやＴｗｉｔｔｅｒ（登録商標）などのＳＮＳ（ソーシャル  ネットワーキング  サービス）へ投稿するときに操作されるソフトウェアキーを配置し、このキーが操作されることでＳＮＳにアニメーションの結果などが投稿されるようにしてもよい。
【００６５】
［アニメーション表示部とグラフ表示部の表示態様］
次に、本発明において特徴的な機能であるアニメーション表示部４４Ａとグラフ表示部４４Ｂの表示態様について図１９〜図２８を参照して説明する。
アニメーション表示部４４Ａは、被検者の入床前の行動に関する表示と、被検者の入床中の生体状態に関する表示を行う。
【００６６】
被検者の入床前の行動に関する表示として、アニメーション表示部４４Ａは、「入床前行動アニメーション」を表示する。
具体的には、入床前行動受付画面（図１４参照）において、例えば、「タバコを吸いましたか？」の質問項目で「はい」が選択され、「お酒を飲みましたか？」の質問項目で「泥酔」が選択された場合には、図２８（ａ）に示す入床前の行動に対応するアニメーションのうち「タバコを吸った」アニメーションと「お酒を飲んだ（泥酔）」アニメーションが表示される。
次いで、図２８（ｂ）に示すように「パジャマに着替える」アニメーションが表示され、図２８（ｃ）に示すように「ベッドに向かう」アニメーションが表示される。
一方、グラフ表示部４４Ｂは、アニメーション表示部４４Ａが「入床前行動アニメーション」を表示している間は、図１９に示すように、スライドバーＢをグラフ表示領域の左端の位置に停止させた状態で表示する。
【００６７】
「入床前行動アニメーション」が終了すると、被検者の入床中の生体状態に関する表示として、アニメーション表示部４４Ａは「入床中アニメーション」を表示し、グラフ表示部４４Ｂは表示されている波形グラフ上にスライドバーＢを表示する。
このとき、「入床中アニメーション」は入床状態（入床時刻）に対応するアニメーションの表示から開始し、スライドバーＢも入床時刻に対応する時間軸Ｚの位置から移動を開始する。このようにして、「入床中アニメーション」の表示開始のタイミングとスライドバーＢの移動開始のタイミングを同期させ、その後の「入床中アニメーション」の表示内容と移動しているスライドバーＢが波形グラフと重なることで、指し示している睡眠状態の遷移とが連動するようになっている（同期表示制御手段）。
【００６８】
「入床中アニメーション」の表示内容とスライドバーＢの時間軸Ｚと交差する位置は、入床中の時間的な推移に基づいて以下のように変化する。
入床中の時刻のうちの入床時刻において、アニメーション表示部４４Ａは、図２０に示すように、入床状態に対応するアニメーションを表示する。例えば、キャラクタがベッドに横たわるアニメーションを表示する。
また、グラフ表示部４４Ｂは、スライドバーＢをグラフ表示領域の左端から入床時刻に対応する位置に移動させて表示する。
【００６９】
スライドバーＢの移動に伴って、時間軸Ｚと交差する時刻が、覚醒状態と判断された時刻（入床時刻から入眠時刻までの間）に達すると、アニメーション表示部４４Ａは、図２１に示すように、覚醒状態に対応するアニメーションを表示する。例えば、キャラクタがベッド上で寝返りをするアニメーションを表示する。
【００７０】
スライドバーＢの移動に伴って、時間軸Ｚと交差する時刻が、入眠時刻に達すると、アニメーション表示部４４Ａは、図２２に示すように、入眠状態に対応するアニメーションを表示する。例えば、キャラクタの動きが停止した状態のアニメーションを表示する。
【００７１】
スライドバーＢの移動に伴って、時間軸Ｚと交差する時刻が、ノンレム睡眠状態と判断された時刻に達すると、アニメーション表示部４４Ａは、図２３に示すように、ノンレム睡眠状態に対応するアニメーションを表示する。例えば、キャラクタがいびき（Ｚｚｚ・・・）をしているアニメーションを表示する。
【００７２】
スライドバーＢの移動に伴って、時間軸Ｚと交差する時刻が、レム睡眠状態と判断された時刻に達すると、アニメーション表示部４４Ａは、図２４に示すように、レム睡眠状態に対応するアニメーションを表示する。例えば、キャラクタが寝返りを繰り返すアニメーションを表示する。
【００７３】
スライドバーＢの移動に伴って、時間軸Ｚと交差する時刻が、中途覚醒状態と判断された時刻に達すると、アニメーション表示部４４Ａは、図２５に示すように、中途覚醒状態に対応するアニメーションを表示する。例えば、キャラクタが起き上がるアニメーションを表示する。
【００７４】
スライドバーＢの移動に伴って、時間軸Ｚと交差する時刻が、起床時刻に達すると、アニメーション表示部４４Ａは、図２６に示すように、起床状態に対応するアニメーションを表示する。例えば、キャラクタが起き上がって目をこするアニメーションや妖精が起こしに来るアニメーションを表示する。
【００７５】
スライドバーＢの移動に伴って、時間軸Ｚと交差する時刻が、離床時刻に達すると、アニメーション表示部４４Ａは、図２７に示すように、再生ボタンを表示する。この再生ボタンは、選択されると、アニメーション表示部４４Ａのアニメーション（「入床前行動アニメーション」と「入床中アニメーション」）を再度表示させることができる。
【００７６】
このように、本発明における睡眠情報表示装置として動作する端末装置４は、入床中の被検者から取得した生体信号に基づくアニメーションであって、被検者の生体状態を時間的な推移を識別可能な動作（スライドバーＢの移動）とともに表す第一のアニメーション（入床中アニメーション）を表示する機能を備えている。
【００７７】
また、本実施形態では、熟眠感受付画面（図１５参照）から受け付けた熟眠感の良否に応じてアニメーションが変化するようになっている。
例えば、熟眠感が「良い」（「はい」キー６６ｂが選択）の場合には、起床状態に対応するアニメーションにおいて、笑顔の表情のキャラクタでアニメーションが表示され、熟眠感が「悪い」（「いいえ」キー６６ｃが選択）の場合には、不機嫌そうな表情のキャラクタでアニメーションが表示される。
これにより、被検者の主観的な評価もアニメーションに反映させることができ、被検者に面白みを与えることができる。
【００７８】
なお、アニメーション表示部４４Ａで表示されるアニメーションは、上記に示したアニメーョンに限らず、次のようなアニメーションを表示してもよい。
例えば、レム睡眠状態が一定時間継続する場合には、キャラクタが寝返りを繰り返した結果、ベッドから落ちるようなアニメーションを表示してもよい。
また、「入床前行動アニメーション」において、例えば、被検者が入床前行動受付画面において「お酒を飲みましたか？」の項目で「ほろ酔い」を選択した場合には、「お酒を飲んだ（ほろ酔い）」アニメーションを表示してもよい。また、このとき、「ベッドに向かう」アニメーションにおいて、キャラクタが千鳥足のアニメーションを表示してもよい。
【００７９】
また、本実施形態では、アニメーション表示部４４Ａにおいてアニメーションが表示されているときに、音声出力手段４５から音や曲が出力されるようになっている。
例えば、アニメーション（動作パターン）に関連付けされた音が出力される。
具体的には、例えば、いびきをしているアニメーション（動作パターン）が表示されているときにいびきの効果音を出力させることができる。また、起床時刻におけるアニメーション（動作パターン）がされているときに鳥のさえずりの効果音を出力させることができる。
また、アニメーションが表示されているときに所定の曲をＢＧＭとして出力させることができる。
さらには、睡眠の評価結果に応じてＢＧＭの曲調が変化するようにしてもよい。例えば、総合評価結果が「とても良い」の場合や被検者から受け付けた熟眠感が「良い」の場合には、明るい曲調のＢＧＭを出力するなどとしてもよい。
【００８０】
［睡眠情報表示方法］
次に、本実施形態の睡眠情報表示方法について、図２９及び図３０を参照して説明する。
以下の処理では、被検者が、睡眠しようとするとき、端末装置４から睡眠アプリを起動して、ホーム画面から「記録スタート」キー６１ｇを選択した状態において、処理が開始される。
【００８１】
まず、表示制御手段５６は、表示手段４４に、入床前行動受付画面を表示させる（Ｓ１０）。
制御手段４７は、入床前行動受付画面に表示された「記録開始」キー６５ｄ又は「スキップ」キー６５ｃが選択されたか否かを判断する（Ｓ１１）。
「記録開始」キー６５ｄ又は「スキップ」キー６５ｃが選択されたと判断した場合（Ｓ１１：ＹＥＳ）、入床前行動受付画面で受け付けた被検者の入床前の行動に関する情報を記憶手段４３の入床前情報に記憶させるとともに、計時手段４６に計時を開始させる（Ｓ１２）。計時手段４６は被検者が離床するまでの時刻を計時する。
【００８２】
生体信号取得手段５１は、圧力検知部３から送られてくる生体信号を入床中の時間的な推移とともに取得し、記憶手段４３に測定データとして記憶させる。（Ｓ１３）。
制御手段４７は、計時手段４６が計時する時刻を監視し、この時刻がアラーム時刻に達したか否かを判断する（Ｓ１４）。
アラーム時刻に達したと判断した場合（Ｓ１４：ＹＥＳ）、表示制御手段５６は、表示手段４４に、熟眠感受付画面を表示させる（Ｓ１５）。
制御手段４７は、熟眠感受付画面に表示された「はい」キー６６ｂ又は「いいえ」キー６６ｃが選択されたか否かを判断する（Ｓ１６）。
制御手段４７は、「はい」キー６６ｂ又は「いいえ」キー６６ｃが選択されたと判断した場合（Ｓ１６：ＹＥＳ）、計時手段４６に計時を終了させる。
【００８３】
次いで、睡眠状態判定手段５２は、測定データと計時手段４６が計時した計時データに基づいて被検者の睡眠状態を判定する（Ｓ１７）。判定の結果、入床中の時刻と、その時刻における被検者の睡眠状態とを関連付けて記憶手段４３の睡眠状態推移情報に記憶させる。
次いで、アニメーション生成手段５５は、睡眠状態推移情報に基づいて被検者の生体状態からなる「入床中アニメーション」と入床前情報に基づいて被検者が入床前に行った行動からなる「入床前行動アニメーション」を生成する（Ｓ１８）。生成された「入床中アニメーション」と「入床前行動アニメーション」は記憶手段４３に記憶される。
【００８４】
次に、項目別評価処理が実行される（Ｓ１９）。
図３０を参照して、項目別評価処理について説明する。
まず、数的情報算出手段５３は、睡眠状態推移情報に基づいて各評価項目に対応する数的な値を算出する（Ｓ３０）。算出した各評価項目の数的な値は、記憶手段４３の数的情報に記憶される。
【００８５】
次に、項目別評価手段５４は、数的情報に基づいてスター表示に関わる評価を行う（Ｓ３１）。評価の結果、評価ランクである星印の数を付与し、記憶手段４３の評価ランク情報に記憶させる（Ｓ３２）。
項目別評価手段５４は、数的情報に基づいてアドバイスの表示に関わる評価を行う（Ｓ３３）。評価の結果、評価ランクである「良い・普通・悪い」のうちいずれか一つを付与し、記憶手段４３の評価ランク情報に記憶させる（Ｓ３４）。
項目別評価手段５４は、Ｓ３１とＳ３３の評価結果に基づいて一言コメントの表示に関わる評価を行う（Ｓ３５）。評価の結果、評価ランクである「入眠困難・熟眠不良・起床困難」のうちいずれか一つを付与し、記憶手段４３の評価ランク情報に記憶させる（Ｓ３６）。
【００８６】
次いで、表示制御手段５６は、表示手段４４に、記録表示画面を表示させる（Ｓ２０）。
表示制御手段５６は、アニメーション表示部４４Ａにアニメーションを表示させ、グラフ表示部４４Ｂに波形グラフとスライドバーＢを表示させる（Ｓ２１）。
具体的には、表示制御手段５６は、本発明におけるアニメーション表示制御手段として動作し、アニメーション表示部４４Ａに「入床前行動アニメーション」（第二のアニメーション）を表示させる。そして、表示制御手段５６は、「入床前行動アニメーション」（第二のアニメーション）を表示させた後、「入床中アニメーション」（第一のアニメーション）を表示させる。
また、表示制御手段５６は、本発明における睡眠状態推移情報表示制御手段として動作し、グラフ表示部４４Ｂに睡眠状態推移情報に基づいて波形グラフを表示させるとともに、波形グラフの表示領域にスライドバーＢを表示させる。
【００８７】
次に、表示制御手段５６は、スター評価表示部４４Ｅに睡眠の評価結果を示す星印を表示させ（Ｓ２２）、総合評価表示部４４Ｆに睡眠の総合的な評価結果を示す顔表情を表示させ（Ｓ２３）、アドバイス表示部４４Ｃに睡眠に関するアドバイスを表示させ（Ｓ２４）、一言コメント表示部４４Ｄに睡眠に関する一言コメントを表示させ、（Ｓ２５）処理を終了する。
【００８８】
以上のような内容を有する睡眠情報表示方法を実行することにより、端末装置４は、入床中の被検者から取得した生体信号に基づくアニメーションであって、被検者の生体状態を時間的な推移を識別可能な動作（スライドバーＢの移動）とともに表す第一のアニメーション（入床中アニメーション）を表示することができる。
【００８９】
［睡眠情報表示制御プログラム］
次に、睡眠情報表示制御プログラムについて説明する。
上記の実施形態におけるコンピュータである端末装置４の睡眠情報表示機能（睡眠情報表示方法を実行するための機能）は、記憶手段４３に記憶された睡眠情報表示制御プログラムにより実現される。
【００９０】
睡眠情報表示制御プログラムは、コンピュータである端末装置４の制御手段４７（ＣＰＵなど）に読み込まれることにより、端末装置４の構成各部に指令を送り、所定の処理、例えば、生体信号取得手段５１の生体信号取得処理、睡眠状態判定手段５２の睡眠状態判定処理、数的情報算出手段５３の数的情報算出処理、項目別評価手段５４の項目別評価処理、アニメーション生成手段５５のアニメーション生成処理、表示制御手段５６の表示処理、音声出力手段５７の音声出力処理、計時手段４６の計時処理などを行わせる。
これによって、睡眠情報表示機能は、ソフトウエアである睡眠情報表示制御プログラムとハードウエア資源であるコンピュータ（端末装置４）の各構成手段とが協働することにより実現される。
【００９１】
なお、睡眠情報表示機能を実現するための睡眠情報表示制御プログラムは、端末装置４の記憶手段４３であるＲＯＭやハードディスクなどに記憶される他、コンピュータ読み取り可能な記録媒体、たとえば、外部記憶装置及び可搬記録媒体等に格納することができる。
外部記憶装置とは、ＣＤ−ＲＯＭ等の記憶媒体を内蔵し、端末装置４に外部接続されるメモリ増設装置をいう。一方、可搬記録媒体とは、記録媒体駆動装置（ドライブ装置）に装着でき、かつ、持ち運び可能な記録媒体であって、たとえば、フレキシブルディスク，メモリカード，光磁気ディスク等をいう。
そして、記録媒体に記録されたプログラムは、端末装置４の記憶手段４３であるＲＡＭ等にロードされて、制御手段４７により実行される。この実行により、上述した実施形態の端末装置４の機能が実現される。
【００９２】
以上説明したように、本実施形態の睡眠情報表示制御プログラム、睡眠情報表示装置及び睡眠情報表示方法によれば、入床中の時間的な推移を識別可能な動作とともに被検者の生体状態を表すアニメーションが表示されるため、被検者は時間の経過とともにどのような睡眠状態を辿ったかを直感的に把握できるとともに、アニメーションで表示されるため、容易にその内容を把握することができるという特徴を備えている。
このような特徴を備えることにより、例えば、以下のような課題が解決される。
【００９３】
従来の技術においては、被検者から入力された生体情報に基づいてその生体情報からもたらされる被検者の変化について、例えば、キャラクタの体形や動作の変化を表示するだけであって、時間的な推移を識別可能な動作を伴う表示ではなかった。
一方、本発明のように、入床中の時間的な推移を識別可能な動作とともに被検者の生体状態をアニメーションによって表示することで、入床中のある時刻、又は入床開始から経過したある時間において、被検者は睡眠の状態がどのような状態であったかを直感的に把握することができる。
【００９４】
以上、本発明の睡眠情報表示制御プログラム、睡眠情報表示装置及び睡眠情報表示方法の好ましい実施形態について説明したが、本発明に係る睡眠情報表示制御プログラム、睡眠情報表示装置及び睡眠情報表示方法は上述した実施形態にのみ限定されるものではなく、本発明の範囲で種々の変更実施が可能であることは言うまでもない。
【００９５】
例えば、上述した実施形態では、入床中は、被検者が眠りに入る前の状態と眠りに入った後の状態の双方を含む「ベッドなどの寝具にいる状態」として説明したが、これに限らず、入床中を、被検者が眠りに入る前の状態、又は、眠りに入った後の状態としてもよい。この場合、「入床中アニメーション」は、眠りに入る前の状態（入床状態や覚醒状態）に対応する動作パターンから生成されるアニメーション、又は、眠りに入った後の状態（入眠状態、ノンレム睡眠状態、レム睡眠状態、中途覚醒状態、起床状態）に対応する動作パターンから生成されるアニメーションとすることができる。
【００９６】
また、上述した実施形態では、アニメーション表示部４４Ａにおけるアニメーションの表示速度とグラフ表示部４４ＢにおけるスライドバーＢの移動速度は、一定の速度で実行されるものとしているが、これに限らず、被検者の睡眠状態に応じてこの速度を変化させてもよい。例えば、キャラクタの動きが少ないノンレム睡眠状態が続くようなときには表示速度を通常時より速くし、アニメーションの動きが多いレム睡眠状態が続くようなときには表示速度を通常時より遅くして表示させてもよい。
【００９７】
また、上述した実施形態では、アニメーションに用いられるキャラクタは、既定のキャラクタが表示されるものとしているが、これに限らず、被検者の分身を表すキャラクタ（アバター）を用いてもよい。
この場合、例えば、プロフィール入力（例えば、性別、身長、体重、年齢）に応じてキャラクタの容姿を変化させてもよく、髪型、服装等の情報を受け付けることによってキャラクタの表示態様を変化させてもよい。
さらに、キャラクタ自体の変化だけでなく、アニメーション内に表示されるベッド、枕、家具等の情報も受け付けることで、これらの表示も選択可能にしてもよい。
【００９８】
また、上述した実施形態では、アニメーション生成手段５５が生成したアニメーション（「入床中アニメーション」、「入床前行動アニメーション」）を表示するものとして説明したが、これに限らず、アニメーションを表示する際に、対応する各動作パターンを動作情報から呼び出して表示させてもよい。
【００９９】
また、上述した実施形態では、被作用体２及び圧力検知部３によって生体信号を検出するようにしているが、これに限らず、被作用体２と圧力検知部３の代わりに、加速度センサを備えた端末装置４を用いることもできる。
この場合には、例えば、寝具上に端末装置４を配置し、被検者の体動を加速度センサが、３軸方向で重力加速度を計測することで、被検者の生体信号（加速度信号）を取得することができる。このような構成にすることにより、端末装置４のみで被検者の生体信号を取得し、睡眠状態を判定することができる。
【０１００】
また、上述した実施形態では、「入床中アニメーション」は入床中の被検者から取得した生体信号に基づく測定データによって生成しているが、この測定データのうち一部のデータに基づいてアニメーションを生成してもよい。例えば、被検者が入床後又は入眠後に所定時間経過しないうちに起床状態又は離床状態に移行したような場合には、被検者が睡眠を止めて他の行動に移ったと判断し、このような測定データを除いたデータでアニメーションを生成してもよい。
【符号の説明】
【０１０１】
１      睡眠情報表示システム
４      端末装置
５      サーバ装置
４４    表示手段
４４Ａ  アニメーション表示部
４４Ｂ  グラフ表示部
４４Ｃ  アドバイス表示部
４４Ｄ  一言コメント表示部
４４Ｅ  スター評価表示部
４４Ｆ  総合評価表示部
４６    計時手段
４７    制御手段
５１    生体信号取得手段
５２    睡眠状態判定手段
５４    項目別評価手段
５６    表示制御手段
【図１】
0006600837.tif 000002
【図２】
0006600837.tif 000003
【図３】
0006600837.tif 000004
【図４】
0006600837.tif 000005
【図５】
0006600837.tif 000006
【図６】
0006600837.tif 000007
【図７】
0006600837.tif 000008
【図８】
0006600837.tif 000009
【図９】
0006600837.tif 000010
【図１０】
0006600837.tif 000011
【図１１】
0006600837.tif 000012
【図１２】
0006600837.tif 000013
【図１３】
0006600837.tif 000014
【図１４】
0006600837.tif 000015
【図１５】
0006600837.tif 000016
【図１６】
0006600837.tif 000017
【図１７】
0006600837.tif 000018
【図１８】
0006600837.tif 000019
【図１９】
0006600837.tif 000020
【図２０】
0006600837.tif 000021
【図２１】
0006600837.tif 000022
【図２２】
0006600837.tif 000023
【図２３】
0006600837.tif 000024
【図２４】
0006600837.tif 000025
【図２５】
0006600837.tif 000026
【図２６】
0006600837.tif 000027
【図２７】
0006600837.tif 000028
【図２８】
0006600837.tif 000029
【図２９】
0006600837.tif 000030
【図３０】
0006600837.tif 000031